【事件の表示】
　特願２００５−２６６１２１「移動通信端末機の表示装置及び方法」拒絶査定不服審判事件〔平成１８年　３月３０日出願公開、特開２００６−　８７１０８〕について、次のとおり審決する。
【結　論】
　本件審判の請求は、成り立たない。
【理　由】
第１．手続の経緯
　本願は，平成１７年９月１３日（優先権主張：平成１６年９月１４日，韓国）の出願であって，平成１９年４月９日付けの拒絶理由通知に対し平成１９年７月９日付けで意見書及び手続補正書の提出がなされ，次いで，平成１９年１０月３１日付けの拒絶理由通知（最後）に対し平成２０年２月４日付けで意見書の提出がなされたところ，平成２０年１０月１６日付けで拒絶査定がなされ，これに対し，平成２１年１月１９日に拒絶査定に対する審判請求がなされるとともに，平成２１年２月１８日付けで手続補正がなされたものである。
　
第２．補正却下の決定
［補正却下の決定の結論］
　平成２１年２月１８日付けの手続補正を却下する。
　
［理由］
１．本件補正
　本件補正は，平成１９年７月９日付け手続補正書で補正された明細書の特許請求の範囲の請求項１について，次のように補正することを含むものである。
　
（１）補正前
「ユーザーの指示を受信する入力部と，
　同時に２つ以上のタスクを行う制御部であって，前記ユーザーから受信された指示を少なくとも１つの表示部に伝達する制御部と，
　複数の表示区域に分けられた表示部であって，前記複数の表示区域の各々は，前記指示に従って独立的な表示を行う，表示部と
　を備える，移動通信端末機の表示装置。」　
　
（２）補正後
「ユーザーの指示を受信する入力部と，
　同時に２つ以上のタスクを行う制御部であって，前記ユーザーから受信された指示を少なくとも１つの表示部に伝達する制御部と，
　複数の表示区域に分けられた表示部であって，前記複数の表示区域の各々は，前記指示に従って独立的な表示を行
い，前記複数の表示区域は，互いに重なり合わず，前記複数の表示区域による表示は，前記制御部が行うタスクに関連する
　を備える，移動通信端末機の表示装置。」（当審注：アンダーラインは補正箇所を示す。）
　
２．新規事項の有無，補正の目的要件について
　上記補正は，願書に最初に添付した明細書，特許請求の範囲又は図面に記載した事項の範囲内において，補正前の特許請求の範囲の請求項１に記載された「表示部」に関し，前記アンダーラインで示した補正箇所のとおりに限定することにより，特許請求の範囲を減縮するものであるから，平成１８年法律第５５号改正附則第３条第１項によりなお従前の例によるとされる同法による改正前の特許法第１７条の２第３項（新規事項）第４項第２号（補正の目的）の規定に適合している。
　　
３．独立特許要件について
　上記補正は特許請求の範囲の減縮を目的とするものであるから，上記補正後の発明が特許出願の際独立して特許を受けることができるか否かについて以下に検討する。
　
（１）補正後の発明
　上記１．（２）で認定したとおりである。
　
（２）引用例
Ａ．原審の拒絶理由に引用された特開２００３−２０９６０９号公報（以下，「引用例１」という。）には，図面とともに以下の事項が記載されている。
　イ．「【０００１】
【発明の属する技術分野】本発明は携帯型情報処理装置及び操作画面表示制御方法に関し，例えば携帯電話機に適用して好適なものである。」（２ページ左欄３２行〜３５行）
　ロ．「【０００３】
【発明が解決しようとする課題】ところでかかる構成の携帯電話機においては，今後種々の機能が増える傾向にあり，現状の表示部に１つの操作画面のみを表示する構造では，複数の操作画面を同時に表示することができず，かくしてユーザに対し複数の機能を同時に利用させ得ない。
【０００４】従ってかかる構成の携帯電話機において，複数の機能を利用して作業を行う場合，次に利用を希望する機能の操作画面を表示部に表示する前に，現在利用している操作画面を一度終了する必要があるため，操作画面の切替え作業が煩雑となる問題があった。
【０００５】本発明は以上の点を考慮してなされたもので，複数の機能を同時に利用可能とした上で操作画面を簡易な操作で切替え得る携帯型情報処理装置及び操作画面表示制御方法を提案しようとするものである。」（２ページ左欄４３行〜右欄８行）
　ハ．「【０００６】
【課題を解決するための手段】かかる課題を解決するために本発明においては，表示部の表示画面を分割することにより，主表示領域と，筐体上における所定の操作手段の配設場所と対応付けられた複数の副表示領域とからなる操作画面表示領域を生成した後，主表示領域及び複数の副表示領域に対して所定の規則に基づき各種機能に対応した複数の操作画面をそれぞれ表示し，所定の操作手段に対して行われた操作に応じて副表示領域に表示中の操作画面と主表示領域に表示中の操作画面とを切り替えて表示するようにした。
【０００７】ユーザは表示部に表示された複数の操作画面の中から次に利用を希望する機能の操作画面を容易に特定し得ると共に，直感的且つ簡易な操作で特定した操作画面と現在使用中の操作画面とを切替えることができる。」（２ページ右欄９行〜２４行）
　ニ．「【０００８】
【発明の実施の形態】以下図面について，本発明の一実施の形態を詳述する。
【０００９】〜【００２０】（省略）
【００２１】（２）携帯電話機の回路構成
次に，携帯電話機１の回路構成について図３を用いて説明する。
【００２２】携帯電話機１においては，当該携帯電話機１全体を統括的に制御するＣＰＵ（Central Processing Unit）２０に対し，制御ライン２１を介してワークエリアとしてのＲＡＭ（Random Access Memory）２２，ＲＯＭ（Read Only Memory）２３，テンキー８と電源／終話キー９と通話キー１０とジョグダイヤル１１と左方向キー１２と右方向キー１３とメニューキー１４と終了キー１５とからなる操作入力部２４及び通信処理部２５が接続されて構成されている。・・・（中略）・・・。
【００２３】因みにＲＯＭ２３には，基本プログラム及び操作画面の表示処理を制御するための操作画面表示制御プログラム（後述する）等が格納されている。
【００２４】加えてＲＯＭ２３には，アプリケーションプログラムとして，電子メールプログラム，Ｗｅｂブラウザプログラム，ユーザの現在位置を通知する機能を提供するためのＧＰＳナビゲーションプログラム，メモ帳プログラム等も格納されている。
【００２５】ＣＰＵ２０は，ＲＯＭ２３に格納された各種プログラムを適宜読み出し，これをＲＡＭ２２に展開して実行することにより，携帯電話機１の各回路部を制御して各種処理を実行するようになされている。
【００２６】（略）
【００２７】またＣＰＵ２０は，操作入力部２４を介してユーザが希望する機能（例えば，電子メール機能）が選択されたことを認識すると，これに応じたアプリケーションプログラム（この場合，電子メールプログラム）に従って，当該機能を実現するための処理を実行するようになされている。」（２ページ右欄２５行〜３ページ右欄３３行）
　ホ．「【００２８】（３）操作画面表示制御機能
（３−１）操作画面の表示遷移
ここでＣＰＵ２０は，操作入力部２４を介し所定の操作が行われることによってユーザが利用を希望する機能が選択されたことを認識すると，操作画面表示制御プログラムに従って操作画面表示制御処理（後述する）を実行することにより，選択された機能に関する操作画面を適切に配置して表示部７に表示するようになされている。
【００２９】〜【００３２】（略）
【００３３】そしてＣＰＵ２０は，ジョグダイヤル１１を介して例えば機能選択メニューボックス１０３における「電子メール」項目が選択決定されると，当該選択決定操作を電子メール機能の操作画面の表示命令（以下，これを操作画面表示命令と呼ぶ）として認識する。
【００３４】実際上，ＣＰＵ２０は操作画面表示制御プログラムに従い，表示すべき１つ又は複数の操作画面を適切に配置した状態で表示部７上に表示するようになされている。例えばＣＰＵ２０は，操作画面を全く表示していない状態から新たに電子メール機能の操作画面を１つ追加して表示するための操作画面表示命令が与えられると，これに応じて図６に示すように，操作画面表示部１０２上に１つの操作画面を表示するための操作画面表示領域１０４（破線で示す）を確保した後，当該操作画面表示命令に応じた１つ目の操作画面を確保した操作画面表示領域１０４に表示するようになされている。
【００３５】従ってＣＰＵ２０は，待受け画面１００を表示した状態（図４）で電子メールの操作画面表示命令が与えられると，これに応じて図７に示すように，操作画面表示領域１０４に電子メール操作画面１０５を表示する。
【００３６】ここでＣＰＵ２０は，操作画面表示領域１０４に表示した各種操作画面をユーザの操作対象として認識するようになされている。従って，この場合ユーザは，操作画面表示領域１０４に表示された電子メール操作画面１０５に対して各種操作命令や操作情報を入力することができる。
【００３７】次にＣＰＵ２０は，電子メール操作画面１０５を表示した状態でメニューキー１４が押下操作されたことを認識すると，図８に示すように，機能選択メニューボックス１０３を電子メール操作画面１０５上にポップアップ表示する。
【００３８】そしてＣＰＵ２０は，ジョグダイヤル１１を介して例えば機能選択メニューボックス１０３における「Ｗｅｂブラウザ」項目が選択決定されると，当該選択決定操作をＷｅｂブラウザ機能の操作画面表示命令として認識する。
【００３９】実際上，ＣＰＵ２０は操作画面表示制御プログラムに従い，例えば１つ目の電子メール操作画面１０５を表示している状態で，新たに追加して２つ目のＷｅｂブラウザ機能の操作画面を表示するように操作画面表示命令が与えられると，これに応じて図９に示すように，表示部７の操作画面表示部１０２を分割することにより，第一表示領域１０６と，当該第一表示領域１０６より横幅が短い第二表示領域１０７と，当該第二表示領域１０７より横幅が短い第三表示領域１０８とを設けて操作画面表示領域１０４を再構成した後，１つ目の電子メール操作画面１０５を新たに確保した第二表示領域１０７に移して表示すると共に，当該操作画面表示命令に応じた２つ目のＷｅｂブラウザ機能の操作画面を第一表示領域１０６に表示する。
【００４０】従ってＣＰＵ２０は，電子メール操作画面１０５のみを表示した状態（図８）でＷｅｂブラウザの操作画面表示命令が与えられると，これに応じて図１０に示すように，これまで第一表示領域１０６に表示していた電子メール操作画面１０５を第二表示領域１０７に移して表示すると共に，当該操作画面表示命令に応じたＷｅｂブラウザ操作画面１０９を第一表示領域１０６に表示する。
【００４１】因みにＣＰＵ２０は，第一表示領域１０６に表示した各種操作画面をユーザの操作対象として認識するようになされている。従って，この場合ユーザは，第一表示領域１０６に表示されたＷｅｂブラウザ操作画面１０９に対して各種操作命令や操作情報を入力することができる。」（３ページ右欄３４行〜４ページ右欄３４行）
　ヘ．「【０１４０】
【発明の効果】上述のように本発明によれば，表示部の表示画面を分割することにより，主表示領域と，筐体上における所定の操作手段の配設場所と対応付けられた複数の副表示領域とからなる操作画面表示領域を生成した後，主表示領域及び複数の副表示領域に対して所定の規則に基づき各種機能に対応した複数の操作画面をそれぞれ表示し，所定の操作手段に対して行われた操作に応じて副表示領域に表示中の操作画面と主表示領域に表示中の操作画面とを切り替えて表示するようにしたことにより，ユーザは表示部に表示された複数の操作画面の中から次に利用を希望する機能の操作画面を容易に特定し得ると共に，直感的且つ簡易な操作で特定した操作画面と現在使用中の操作画面とを切替えることができ，かくして複数の機能を同時に利用可能とした上で操作画面を簡易な操作で切替え得る携帯型情報処理装置及び操作画面表示制御方法を実現することができる。」（１２ページ左欄１３行〜２９行）
　
　したがって，上記摘記事項，及び当該技術分野の技術常識を加味すれば，引用例１には，以下の発明（以下，「引用発明」という。）が開示されているものと認められる。
　「テンキー８，ジョグダイヤル１１，メニューキー１４等からなる操作入力部２４と，
　ＲＯＭ２３に格納された電子メールプログラム，Ｗｅｂブラウザプログラム等，各種機能を提供するためのプログラムを適宜読み出して実行するＣＰＵ２０と，
　表示部７と，
　を備え，前記複数の機能を同時に利用可能とした上で操作画面を簡易な操作で切替え得る携帯型情報処理装置において，
　前記ＣＰＵ２０は，例えば，前記表示部７で電子メール操作画面１０５を表示した状態で，ジョグダイヤル１１を介して例えば機能選択メニューボックス１０３における「Ｗｅｂブラウザ」項目が選択決定されると，当該選択決定操作をＷｅｂブラウザ機能の操作画面表示命令として認識し，表示部７の操作画面表示部１０２を複数の表示領域１０６〜１０８に再構成した後，１つ目の電子メール操作画面１０５を新たに確保した第二表示領域１０７に移して表示すると共に，当該操作画面表示命令に応じた２つ目のＷｅｂブラウザ機能の操作画面を第一表示領域１０６に表示し，ユーザは，前記第一表示領域１０６に表示されたＷｅｂブラウザ操作画面１０９に対して各種操作命令や操作情報を入力することができるようにした携帯型情報処理装置。」
　
Ｂ．同じく，拒絶理由に引用された特開２００３−２８３６０８号公報（以下，「引用例２」という。）には，図面とともに以下の事項が記載されている。
　イ．「【０００１】
【発明の属する技術分野】本発明は携帯電話に係り，特に，携帯電話を用いて送信文字メッセージを作成する場合，窓分割の機能を有する携帯電話及びそのデータの表示方法に関する。」（２ページ右欄２５行〜２９行）
　ロ．「【０００８】
【発明が解決しようとする課題】そこで，本発明が解決しようとする技術的な課題は，携帯電話を用いて送信文字メッセージを作成するとき，効率良いデータの表示方法を有する携帯電話及びそのデータの表示方法を提供するところにある。また，本発明が解決しようとする技術的な課題は，相手と文字メッセージを用いて文字通話を行う場合，相手が受け取った文字メッセージをリアルタイムにて確認できずに生じる問題点を解決し得る携帯電話及びそのデータの表示方法を提供するところにある。
【０００９】さらに，本発明が解決しようとする他の技術的な課題は，送信文字メッセージを作成する最中に呼び設定の要求がある場合，作成していた送信文字メッセージを保存しつつもこれに応答し得る携帯電話及びそのデータの表示方法を提供するところにある。なおかつ，本発明が解決しようとするさらに他の技術的な課題は，送信文字メッセージを作成する最中に作成していた送信文字メッセージを保存しつつも電話番号の検索のような他の機能を行い得る携帯電話及びそのデータの表示方法を提供するところにある。」（３ページ左欄４５行〜右欄１４行）
　ハ．「【００２０】図２の（ｇ）ないし（ｈ）は，本発明のさらに他の実施の形態による携帯電話に表示される表示画面の一例を時系列的に示している。送信文字メッセージの作成の最中にユーザが検索機能の行うために分割モードの入力を選択する場合には，図２の（ｇ）（当審注：（ｇ）は（ｈ）の誤記」）のように表示窓が分割され，分割された一方の表示窓には作成していた送信文字メッセージが表示され，他方の分割表示窓には検索種類のメニュー画面が表示される。一例として，ユーザが電話番号の検索を選択すれば，図２の（ｈ）（当審注：「（ｈ）は（ｇ）の誤記」）に示されたように，検索種類のメニュー画面が表示されていた表示窓に電話番号の検索画面が表示される。ユーザは，電話番号の検索画面において電話番号の検索を行うことができ，検索が終われば，図２の（ｆ）に戻って，一つの表示窓において作成していた送信文字メッセージを完成できる。」（５ページ左欄１１行〜２５行）
　ニ．「【００２８】
【発明の効果】上述したように，本発明によれば，携帯電話を用いて送信文字メッセージを作成する最中に窓分割機能の選択の入力がある場合，表示窓を分割し，分割された表示窓に選択入力の種類に各々対応するデータを表示することにより，下記のような効果を有する。第一に，文字メッセージを用いて一般の無線網につながった相手と通信をする場合，送信文字メッセージを作成する最中に受信される相手の受信文字メッセージをリアルタイムにて確かめて作業することにより，不要な文書の作成を防いで効率良い通信が行える。
【００２９】第二に，作成していた送信文字メッセージの内容を保存しつつも他の機能が行えるので，送信文字メッセージの繰り返し作成による時間が短縮できる。第三に，送信文字メッセージを作成する最中に必要な検索機能を同時に表示して行うことにより，送信文字メッセージの作成を終えずに必要な資料を検索して送信文字メッセージの作成に活用できる。」（６ページ右欄１９行〜２６行）
　
Ｃ．同じく，拒絶理由に引用された特開２００２−１５２３２８号公報（以下，「引用例３」という。）には，図面とともに以下の事項が記載されている。
　
　イ．「【０００１】
【発明の属する技術分野】この発明は，データ通信機能を有し，インターネットを介してホームページを閲覧するためのブラウザ及び電子メールの送受信を行うためのメーラが搭載された携帯電話機等の携帯端末，該携帯端末におけるブラウザを動作させたときの表示画面とメーラを動作させたときの表示画面との間の表示切換方法，及び該表示切換方法を実施するための表示切換プログラムを記録した記録媒体に関する。」（３ページン左欄４９行〜右欄７行）
　ロ．「【０００９】この発明は，上述の事情に鑑みてなされたもので，キーの操作回数が少なく，ブラウザモードと電子メールモードとで簡単に切換えを行うことができる携帯端末，該携帯端末における表示切換方法，及び表示切換プログラムを記録した記録媒体を提供することを目的としている。」（４ページ左欄４９行〜右欄４行）
　ハ．「【００３８】◇第２実施例・・・（中略）・・・。
【００３９】次に，この例の携帯電話機の動作について説明する。ステップＳＴ１５でモード切換キー６ｄが押下されるか，又はステップＳＴ１８でブラウザモード選択キー６ａが押下された場合は，制御部２は，ブラウザモードに移行して図６に示すように表示部７にメニュー選択画面を表示させる（ステップＳＴ１６）。このブラウザモードで，電子メールの着信があると（ステップＳＴ３１），自動的に電子メールモードへ移行し，制御部２は，図８に示すように，ブラウザ画面上の一部に上書きするように電子メール割込画面を表示部７に表示させる（ステップＳＴ３２）。操作者は，例えば未読メールが保存されているフォルダを選択して，メール本文を読む。この後メールモードクリアキー６ｆが押下されると（ステップＳＴ３３），ステップＳＴ２０へ進み，メールモードクリアキー６ｆが押下されないときは，このまま，電子メール割込画面を表示させる。
【００４０】また，ステップＳＴ３１で電子メールの着信がない場合でも，モード切換キー６ｄが押下されると（ステップＳＴ１９），電子メールモードに切り換わり，ステップＳＴ３２へ進み，電子メール割込画面を表示させる。また，ステップＳＴ１９で モード切換キー６ｄが押下されないときは，ステップＳＴ２０へ進む。」（７ページ左欄４２行〜右欄２１行）
　ニ．「【００４９】また，第２実施例では，着信時に電子メールの画面を上書きする場合について述べたが，例えば図１１に示すように，上下に画面分割するようにしても良い。また，上下と限らず，図１２に示すように，左右に分割するようにしても良い。これによって，ブラウザモードの画面の内容も同時に確認し易くすることができる。・・・（中略）・・・。」（８ページ左欄４７行〜右欄１４行）
　
　引用例２，３の記載によれば，「携帯電話機において，一つの表示領域を互いに重なり合わない複数の表示領域に分割し，それぞれの表示領域にそれぞれ独立した複数の機能（タスク）に関連する表示を行うこと」は，周知と認められる。
　
（３）対比・判断
　引用発明と補正後の発明とを対比する。
　イ．引用発明は，「テンキー８，ジョグダイヤル１１，メニューキー１４等からなる操作入力部２４」を備えているところ，前記「操作入力部」は，ユーザの指示を受ける（受信する）ことが明らかであるから，「ユーザーの指示を受信する入力部」を備える点で，補正後の発明と一致する。
　ロ．引用発明は，「ＲＯＭ２３に格納された電子メールプログラム，Ｗｅｂブラウザプログラム等，各種機能を提供するためのプログラムを適宜読み出して実行するＣＰＵ２０」を備え，「複数の機能を同時に利用可能」としたものであるところ，前記「機能」は「タスク」といえ，また「ＣＰＵ」は「同時に２つ以上のタスクを行う制御部」といえる。
　また，ＣＰＵ２０は，「例えば，前記表示部７で電子メール操作画面１０５を表示した状態で，ジョグダイヤル１１を介して例えば機能選択メニューボックス１０３における「Ｗｅｂブラウザ」項目が選択決定されると，当該選択決定操作をＷｅｂブラウザ機能の操作画面表示命令として認識し，表示部７の操作画面表示部１０２を複数の表示領域１０６〜１０８に再構成した後，１つ目の電子メール操作画面１０５を新たに確保した第二表示領域１０７に移して表示すると共に，当該操作画面表示命令に応じた２つ目のＷｅｂブラウザ機能の操作画面を第一表示領域１０６に表示し」，ユーザは，「前記第一表示領域１０６に表示されたＷｅｂブラウザ操作画面１０９に対して各種操作命令や操作情報を入力することができるようにした」ものであるから，ＣＰＵ２０は，「前記ユーザーから受信された指示を少なくとも１つの表示部に伝達する」ものといえる。
　したがって，引用発明は，「同時に２つ以上のタスクを行う制御部であって，前記ユーザーから受信された指示を少なくとも１つの表示部に伝達する制御部」を備える点で，補正後の発明と一致する。
　ハ．引用発明は，「表示部７の操作画面表示部１０２を複数の表示領域１０６〜１０８に再構成した後，１つ目の電子メール操作画面１０５を新たに確保した第二表示領域１０７に移して表示すると共に，当該操作画面表示命令に応じた２つ目のＷｅｂブラウザ機能の操作画面を第一表示領域１０６に表示」するから，引用発明の表示部７は，「複数の表示区域に分けられた表示部であって，前記複数の表示区域の各々は，前記指示に従って独立的な表示を行」うものといえる。また，第１表示領域１０６に表示されるＷｅｂブラウザ機能の操作画面，及び第二表示領域１０７に表示される電子メール操作画面１０５は，それぞれ「前記制御部が行うタスクに関連する」ものといえる。
　したがって，引用発明は，「複数の表示区域に分けられた表示部であって，前記複数の表示区域の各々は，前記指示に従って独立的な表示を行い，前記複数の表示区域による表示は，前記制御部が行うタスクに関連する，表示部」を備える点で，補正後の発明と一致する。
　ニ．引用発明は，「表示部７」を備えた「携帯型情報処理装置」であり，前記「携帯型情報処理装置」は「移動通信端末機」といえるから，「移動通信端末機の表示装置」である点で,補正後の発明と一致する。
　
　以上総合すると，補正後の発明と引用発明は，以下の点で一致し，相違する。
　
（一致点）
　「ユーザーの指示を受信する入力部と，
　同時に２つ以上のタスクを行う制御部であって，前記ユーザーから受信された指示を少なくとも１つの表示部に伝達する制御部と，
　複数の表示区域に分けられた表示部であって，前記複数の表示区域の各々は，前記指示に従って独立的な表示を行い，前記複数の表示区域による表示は，前記制御部が行うタスクに関連する，表示部と
　を備える，移動通信端末機の表示装置。」
　
（相違点）
　補正後の発明は，表示部に関し，「前記複数の表示区域は，互いに重なり合わず」との構成を有するのに対し，引用発明は，電子メール操作画面とＷｅｂブラウザ機能の操作画面を表示する場合，「表示部７の操作画面表示部１０２を複数の表示領域１０６〜１０８に再構成した後，１つ目の電子メール操作画面１０５を新たに確保した第二表示領域１０７に移して表示すると共に，当該操作画面表示命令に応じた２つ目のＷｅｂブラウザ機能の操作画面を第一表示領域１０６に表示」するようにしている点。
　
　そこで，相違点について検討する。
　引用文献２，３に記載されているように，「携帯電話機において，一つの表示領域を互いに重なり合わない複数の表示領域に分割し，それぞれの表示領域にそれぞれ独立した複数の機能（タスク）に関連する表示を行うこと」は周知と認められる。そして，当該周知技術は，移動通信端末という点で同一の技術分野に属し，また機能表示の点で機能，作用の共通性を有しているから，引用発明に当該周知技術を適用して，表示部に関し，「前記複数の表示区域は，互いに重なり合わず」との構成を有するものとすることは，当業者が容易になし得ることである。
　
　そして，補正後の発明の効果は，引用発明，及び周知技術から当業者が容易に予測し得るものであって，格別のものではない。
　
　なお，前置審尋の回答書に記載された補正案を検討したが，上記判断を覆すに足りる根拠を見いだすことはできなかった。　    
           
（４）まとめ
　以上のとおり，補正後の発明は，引用例１に記載された発明（引用発明），及び周知技術に基づいて，当業者が容易に発明できたものであるから，特許法第２９条第２項の規定により，特許出願の際独立して特許を受けることができないものである。
　
４．むすび
　したがって，本件補正は，平成１８年法律第５５号改正附則第３条第１項によりなお従前の例によるとされる同法による改正前の特許法第１７条の２第５項の規定において準用する特許法第１２６条第５項の規定に違反するので，同法第１５９条第１項において読み替えて準用する同法第５３条第１項の規定により却下すべきものである。
　
第３．本願発明について
１．本願発明
　平成２１年２月１８日付けの手続補正は上記のとおり却下されたので，本願の請求項１に係る発明（以下，「本願発明」という。）は，平成１９年７月９日付け手続補正によって補正された明細書及び図面の記載からみて，その特許請求の範囲の請求項１に記載されたとおりのもの（第２．１．（１）補正前，参照）と認められる。
　　
２．引用発明
　引用発明は，上記第２．３．（２）で認定したとおりである。
　
３．対比・判断
　そこで，本願発明と引用発明とを対比すると，本願発明は上記補正後の発明から当該補正に係る限定を省いたものである。
　そうすると，本願発明の構成に当該補正に係る限定を付加した補正後の発明が，上記第２．３．（３）で検討したとおり，引用発明，及び周知技術に基づいて当業者が容易に発明できたものであるから，本願発明も同様の理由により，当業者が容易に発明できたものである。
　
４．むすび
　以上のとおり，本願発明は，引用例１に記載された発明（引用発明），及び周知技術に基づいて当業者が容易に発明をすることができたものと認められるから，特許法第２９条第２項の規定により特許を受けることができない。
　よって，結論のとおり審決する